(57)【要約】【課題】塗布容器を倒立させたときに、注出弁孔がシールされ、内容液がみだりに注出することを防ぐようにした液塗布容器を提供すること。【解決手段】塗布液を収容した容器と、容器の口筒部に嵌着され、中央に開孔を穿孔した中栓と、該中栓に対してばねを介して上下動自在に装着された塗布部材と、塗布部材を覆い、容器の口筒部に螺着されるキャップとを備えた液塗布容器であって、前記塗布部材は、中栓の開孔を開閉するシール筒を具えた基台と、該基台に取着され、基端に注出弁孔を設け、先端に注出孔を設けた注出筒とを具えており、シール筒内に注出弁孔を開閉するボール弁を挿入支持させ、注出筒内に上下動してボール弁と係合する作動杆を軸支したことを特徴とする。【選択図】　　　　図１
2004025065.tif 000002
【特許請求の範囲】
【請求項１】
塗布液を収容した容器と、容器の口筒部に嵌着され、中央に開孔を穿孔した中栓と、該中栓に対してばねを介して上下動自在に装着された塗布部材と、塗布部材を覆い、容器の口筒部に螺着されるキャップとを備えた液塗布容器であって、
前記塗布部材は、中栓の開孔を開閉するシール筒を具えた基台と、該基台に取着され、基端に注出弁孔を設け、先端に注出孔を設けた注出筒とを具えており、シール筒内に注出弁孔を開閉するボール弁を挿入支持させ、注出筒内に上下動してボール弁と係合する作動杆を軸支したことを特徴とする液塗布容器。
【発明の詳細な説明】
【０００１】
【発明の属する技術分野】
本発明は、刷毛タイプの液塗布容器に関する。
【０００２】
【従来の技術】
刷毛タイプの液塗布容器において、刷毛を中央に向かって傾斜させて刷毛の先端密度を高め、塗布液が刷毛面全面から均一に流出するようにした刷毛タイプの塗布容器は、特開平１１−１３８０８６号公報に示されているよう本出願人等により提案されている。
【０００３】
【発明が解決しようとする課題】
上記液塗布容器は、キャップを取外したときに、塗布部材がばねによって上昇し、注出筒の注出口に通じる流路が形成され、塗布容器を下方に向け塗布部材の刷毛を被塗布面に押し当てたときに、注出口から内容液が吐出され、塗布面に塗布できるようになっていた。
【０００４】
しかしながら、内容液が粘性の少ないものであると、容器を倒立させた場合に、ウォーターハンマー現象により少量の内容液が吐出されることがあり、また、刷毛先を塗布面に押し当てる前に塗布容器を強く振ったり、誤って容器胴部を押圧すると、内容液が注出口から流出するという問題もあった。
【０００５】
本発明は、上記問題を解決することを課題として、塗布容器を倒立させたときに、注出弁孔がシールされ、内容液がみだりに注出することを防ぐようにした液塗布容器を提供することを目的とする。
【０００６】
【課題を解決するための手段】
本発明は、上記の課題を解決するため、液塗布容器として、塗布液を収容した容器と、容器の口筒部に嵌着され、中央に開孔を穿孔した中栓と、該中栓に対してばねを介して上下動自在に装着された塗布部材と、塗布部材を覆い、容器の口筒部に螺着されるキャップとを備えた液塗布容器であって、前記塗布部材は、中栓の開孔を開閉するシール筒を具えた基台と、該基台に取着され、基端に注出弁孔を設け、先端に注出孔を設けた注出筒とを具えており、シール筒内に注出弁孔を開閉するボール弁を挿入支持させ、注出筒内に上下動してボール弁と係合する作動杆を軸支したことを特徴とする構成を採用する。
【０００７】
【発明の実施の形態】
次に、本発明の実施形態について、図面を参照して説明する。
図１において、Ａは容器、Ｂは容器に嵌着された中栓、Ｃは中栓に対して上下動自在に装着された塗布部材、Ｄは刷毛カバー、Ｅはキャップである。
容器Ａには、液体或いはクリーム状の薬液、化粧料、洗剤等が収容され、本塗布容器は、それらの塗布容器として使用される。
【０００８】
容器Ａは、可撓性の合成樹脂によって成形されており、口筒部１と胴部２、および底部３とからなり、口筒部１にはキャップＥを螺着するねじ４が刻設されている。
【０００９】
図２に示すように、中栓Ｂは、口筒部１の内周に嵌着される嵌着筒５と、該嵌着筒５の下端近くから延びる連結部６を介して連設された内筒７とを具えている。
嵌着筒５の外周には、フランジ８が設けられ、その上方には案内筒９が立設されている。
案内筒９の内周には、その中間位置から内方に傾斜する係止面１０が形成され、嵌着筒５の内周面に続いている。
嵌着筒５の内周面上端には膨出部１１が設けられ、内周中間部下方は縮径され、案内面１２となっている。
【００１０】
内筒７の上端には、内方に突出する上壁１３が形成され、上壁１３の上面には内周縁に沿って案内筒１４が立設され、案内筒１４の外側の上壁１３は、ばね受け面１５となっており、ばねｓが装着されている。
案内筒１４の内周上端部には、塗布部材Ｃを摺動案内させる膨出環１６が設けられている。
また、案内筒１４内周に膨出環１６を設けることに変え、後述するシール筒の外周に膨出環を設けて、塗布部材Ｃが摺動案内されるようにしてもよい。
【００１１】
上壁１３の下面には、内筒７から複数の連結片１７を介して栓体１８が連設され、上壁１３の内周縁と栓体１８との間に開孔１９が形成されている。
【００１２】
図３、４に示すように、塗布部材Ｃは、基台２０と、基台２０に嵌着された塗布具２１、およびボール弁２２と作動杆２３によって構成される注出弁孔開閉機構とからなっている。
基台２０は、球面状に広がる上壁２４と、上壁２４の内周縁より垂設された取付筒２５と、その外側に垂設された案内筒２６と、上壁２４の外周に沿って立設された刷毛カバーＤの取付部２７とを具えている。
【００１３】
取付筒２５の内周上部には膨出環２８が設けられ、下端には内方に突出する下壁２９が設けられており、中栓Ｂの開孔１９を開閉するシール筒３０が内周縁に沿って垂設されている。
シール筒３０の下端部に、ボール弁２２の支持杆３１が架設されている。
【００１４】
取付筒２５と案内筒２６との間の上壁２４下面に、ばね受けリブ３２が設けられ、塗布部材Ｃを中栓Ｂに取着するとき、ばね受けリブ３２とばね受け面１５との間にばねｓが弾装される。
案内筒２６は、中栓Ｂの嵌着筒５と内筒７との間に嵌挿されるようになっており、外周の中間位置には、中栓Ｂの嵌着筒５に設けた膨出部１１に係合する膨出環３３が設けられている。
【００１５】
取付部２７は、内筒３４と外筒３５、両者を結ぶ頂壁３６とからなり、内筒３４内周上端には、刷毛カバーＤを取付けるための膨出環３７が設けられている。内筒３４外周は、案内筒９の内面に係合しており、外筒３５内周は、案内筒９の外周に係合して上下に案内されるようになっている。
【００１６】
図４に示すように、塗布具２１は、取付筒４０と、多数の刷毛４１を立設した球面状の支持壁４２と、支持壁４２の内周縁に沿って立設された注出筒４３とからなっている。
【００１７】
取付筒４０の内周上部は円錐面４４となっており、注出筒４３の内周面下端に続いている。
円錐面４４と注出筒４３の内周面とによって、注出筒４３基端の注出弁孔４５が形成されている。
取付筒４０の外周下端には、取付筒２５の膨出環２８に係合する膨出環４６が設けられている。
【００１８】
注出筒４３の上端には、中央に作動杆２３の軸受け部４７が形成され、軸受け部４７と注出筒４３上端部との間には、複数の注出孔４８が放射状に穿孔されている。
支持壁４２に立設された刷毛４１は、中央に向かって傾斜し、刷毛先面４１ａが水平または中央が凹んだ湾曲凹面となっており、刷毛４１先端の密度は高くなっている。
【００１９】
作動杆２３は、軸杆５０と、その下端に連設され、注出筒４３下端の注出弁孔４５に係合する円板５１とからなっており、円板５１と軸杆５０との間には軸杆５０から放射状に突出された複数の規制板５２が設けられている。
円板５１とシール筒３０の支持杆３１との間には、ボール弁２２が挿入されており、規制板５２の上端が軸受け部４７に係合するとき、ボール弁２２が円錐面４４に係合して注出弁孔４５を閉じるようになっている。
【００２０】
図５に示すように、刷毛カバーＤは、頂板６０と円錐状の側周壁６１とからなっており、頂板６０または側周壁６１には空気孔６２が穿孔されている。
また、空気孔６２は、頂板６０と側周壁６１の両方に設けてもよい。
側周壁６１の下端から円筒６３が垂設されており、円筒６３の中間部には、塗布部材Ｃの取付部２７の膨出環３７に係合する膨出環６４が設けられている。
【００２１】
図６に示すように、キャップＥは、頂壁７０と側周壁７１とからなっており、側周壁７１は、上部筒７２と、段部７３と拡径された下部筒７４とを具えている。
上部筒７２の下端には、塗布部材Ｃの頂壁３６に係合する膨出部７５が設けられており、下部筒７４には、口筒部１のねじ４に係合するねじ７６が螺設されている。
【００２２】
次に、本液塗布容器の組立工程について説明する。
本液塗布容器は、まず、塗布部材Ｃが組立てられ、中栓Ｂに取着される。
次に、その中栓Ｂを、内容液を充填した容器Ａの口筒部１に嵌挿し、キャップＥを締着することによって液塗布容器の組立が完了する。
【００２３】
塗布部材Ｃの組立にあたっては、まず、基体２０のシール筒３０内にボール弁２２を挿入し、塗布具２１の注出筒４３内に作動杆２３を挿入して、塗布具２１の取付筒４０を基台２０の取付筒２５に嵌挿すると、それぞれの膨出環２８と膨出環４６が係合して、塗布具２１が基台２０に強固に嵌着される。
【００２４】
次いで、組立てられた塗布部材Ｃを中栓Ｂに嵌着させる。
その際、塗布部材Ｃは、ばねｓによって上方に付勢される。
案内筒２６の膨出環３３は、中栓Ｂの嵌着筒５の膨出部１１によって上昇が規制される。
【００２５】
次に、刷毛４１を被うよう刷毛カバーＤを被嵌させ、内容液を充填した容器Ａの口筒部１に塗布部材Ｃを取着した中栓Ｂを嵌挿し、キャップＥを容器Ａの口筒部１に締着することによって、液塗布容器の組立が完了する。
その際には、塗布部材Ｃは中栓Ｂに押しつけられ、シール筒３０によって中栓Ｂの開孔１９が閉鎖されるので、内容液が流出することはなくなる。
【００２６】
次に、本液塗布容器の使用態様とその際の作用効果について説明する。
まず、容器の正立状態でキャップＥを開蓋すると、図７に示すように、ばねｓの付勢によって塗布部材Ｃが中栓Ｂから一定の位置まで上昇し、塗布部材Ｃのシール筒３０は中栓Ｂの栓体１８から離れ、開孔１９を開放させる。
【００２７】
次いで、図８に示すように、塗布容器を倒立させると、内容液の液圧と自重により、ボール弁２２が下降して円錐面４４に係合し、注出弁孔４５を閉鎖する。したがって、塗布容器の倒立、或いは下方に傾けた状態では注出弁孔４５が閉ざされるので、内容液が注出されることはない。
【００２８】
塗布にあたって、塗布具の刷毛先面４１ａを被塗布面に押し当てると、図９に示すように、作動杆２３が押上げられ、ボール弁２２が円錐面４４から離れ、注出弁孔４５が開かれる。
内容液は、注出筒４３内に流れ込み、注出孔４８および軸受け部４７と軸杆５０との間から注出され、周辺の刷毛４１に広がり、刷毛先面４１ａから均一に塗布することができる。
【００２９】
また、塗布を止めたいときには、刷毛先面４１ａを被塗布面から離すだけで、ボール弁２２が押し下げられ、注出弁孔４５が閉じられるので、内容液を被塗布面以外に塗布することはなく、液を無駄に注出するようなことはなくなる。
【００３０】
【発明の効果】
本発明は、上記のように構成されているから、次の効果を奏する。
塗布部材に注出弁孔を開閉するボール弁と、該ボール弁に係合する作動杆を挿入し、塗布容器を倒立したときに、ボール弁によって注出弁孔を閉じるようにしているから、塗布前に内容液が注出することがなくなった。
【００３１】
また、塗布時に、被塗布面に刷毛先面を押し当てたときに、作動杆を押し上げ、ボール弁を注出弁孔から離すようにしたから、被塗布面に内容液を注出塗布でき、被塗布面から刷毛先面を離したときに直ちに注出を止めるようにしたから、所望する被塗布面以外に塗布されることはなくなった。
【図面の簡単な説明】
【図１】本発明の液塗布容器の一部断面正面図である。
【図２】中栓の説明図で、（ａ）は上面図、（ｂ）は一部断面立面図である。
【図３】塗布部材の説明図で、（ａ）は上面図、（ｂ）は断面立面図である。
【図４】塗布部材の注出筒要部を説明する断面立面図である。
【図５】刷毛カバーの一部断面立面図である。
【図６】キャップの一部断面立面図である。
【図７】キャップと刷毛カバーを取外したときの液塗布容器の一部断面立面図である。
【図８】液塗布容器を倒立状態としたときの一部断面立面図である。
【図９】塗布時の説明図である。
【符号の説明】
Ａ　　　容器
Ｂ　　　中栓
Ｃ　　　塗布部材
Ｄ　　　刷毛カバー
Ｅ　　　キャップ
ｓ　　　ばね
１　　　口筒部
４　　　ねじ
５　　　嵌着筒
７　　　内筒
８　　　フランジ
１３　　上壁
１４　　案内筒
１５　　ばね受け面
１８　　栓体
１９　　開孔
２０　　基台
２１　　塗布具
２２　　ボール弁
２３　　作動杆
２４　　上壁
２５　　取付筒
２６　　案内筒
２７　　取付部
３０　　シール筒
３１　　支持杆
４０　　取付筒
４１　　刷毛
４２　　支持壁
４３　　注出筒
４４　　円錐面
４５　　注出弁孔
４７　　軸受け部
４８　　注出孔
５０　　軸杆
５１　　円板
５２　　規制板
６０　　頂板
６１　　側周壁
７０　　頂壁
７１　　側周壁
７４　　下筒部
７６　　ねじ
【図１】
2004025065.tif 000003
【図２】
2004025065.tif 000004
【図３】
2004025065.tif 000005
【図４】
2004025065.tif 000006
【図５】
2004025065.tif 000007
【図６】
2004025065.tif 000008
【図７】
2004025065.tif 000009
【図８】
2004025065.tif 000010
【図９】
2004025065.tif 000011